(57)【要約】【課題】  本発明の課題は、所定の長さの巻取を製造するにあたって、複数の巻取製品の最適な組み合わせを指示するシステム、および、その方法を提供することである。【解決手段】  巻取製造指示装置と巻取データ登録装置がネットワークで接続されて構成される巻取接合指示システムにおいて、巻取り識別情報と巻取り長さの値を含む巻取データを記録する巻取り管理ファイルを用いて、所定の長さの値と最大接合本数の値を含んだ巻取接合指示受け付けて、巻取り管理ファイルから順次取得した巻取データの巻取り長さの値を用いて算出した接合の長さと接合本数が、巻取接合指示に含まれる所定の長さの値と最大接合本数の値を含んだ巻取接合指示の条件を満たした接合指示を作成することを特徴とする巻取接合指示システムである。【選択図】図１
2007062976.tif 000002
【特許請求の範囲】
【請求項１】
巻取製造指示装置と巻取データ登録装置がネットワークで接続されて構成される巻取接合指示システムにおいて、
前記巻取製造指示装置は、
巻取り識別情報と巻取り長さの値を含む巻取データを記録する巻取り管理ファイルを記憶する記憶手段と、
所定の長さの値と最大接合本数の値を含んだ巻取接合条件を受け付ける巻取接合条件受付手段と、
巻取データの巻取り長さをキーにして、前記巻取り管理ファイルの巻取データを昇順に配列する巻取データ昇順手段と、
前記昇順に配列された巻取り管理ファイルを参照して、所定の配列位置にある巻取データを取得して、これを保持する巻取データ取得手段と、
前記保持されている巻取データの巻取り長さの値をそれぞれ取得して加算して、接合の長さを算出する接合長さ算出手段と、
前記巻取り管理ファイルの先頭の巻取データを削除する巻取データ削除手段と、
前記保持されている巻取データの巻取り識別情報を含んだ接合指示を作成する接合指示手段と、
巻取データを受信して、巻取り管理ファイルに登録する巻取データ登録手段と、
を備える指示装置であって、
巻取データ登録装置は、
巻取データを作成して、送信する巻取データ送信手段と、
を備える登録装置であって、
巻取り管理ファイルから順次取得した巻取データの巻取り長さの値を用いて算出した接合の長さを用いて、巻取接合条件を満たした接合指示を作成する
ことを特徴とする巻取接合指示システム。
【請求項２】
巻取り識別情報と巻取り長さの値を含む巻取データを記録する巻取り管理ファイルを記憶する記憶手段と、
巻取データを作成して、巻取り管理ファイルに登録する巻取データ登録手段と、
所定の長さの値と最大接合本数の値を含んだ巻取接合条件を受け付ける巻取接合条件受付手段と、
巻取データの巻取り長さをキーにして、前記巻取り管理ファイルの巻取データを昇順に配列する巻取データ昇順手段と、
前記昇順に配列された巻取り管理ファイルを参照して、所定の配列位置にある巻取データを取得して、これを保持する巻取データ取得手段と、
前記保持されている巻取データの巻取り長さの値をそれぞれ取得して加算して、接合の長さを算出する接合長さ算出手段と、
前記巻取り管理ファイルの先頭の巻取データを削除する巻取データ削除手段と、
前記保持されている巻取データの巻取り識別情報を含んだ接合指示を作成する接合指示手段と、
を備えることを特徴とする巻取接合指示装置。
【請求項３】
巻取り識別情報と巻取り長さの値を含む巻取データを記録する巻取り管理ファイルを使用する巻取接合指示方法であって、
巻取データを作成して、巻取り管理ファイルに登録する巻取データ登録ステップと、
所定の長さの値と最大接合本数の値を含んだ巻取接合条件を受け付ける巻取接合条件受付ステップと、
巻取データの巻取り長さをキーにして、前記巻取り管理ファイルの巻取データを昇順に配列する巻取データ昇順ステップと、
前記昇順に配列された巻取り管理ファイルを参照して、所定の配列位置にある巻取データを取得して、これを保持する巻取データ取得ステップと、
前記保持されている巻取データの巻取り長さの値をそれぞれ取得して加算して、接合の長さを算出する接合長さ算出ステップと、
前記巻取り管理ファイルの先頭の巻取データを削除する巻取データ削除ステップと、
前記保持されている巻取データの巻取り識別情報を含んだ接合指示を作成する接合指示ステップと、
を含んだ手順でなされることを特徴とする巻取接合指示方法。
【請求項４】
コンピュータに組込むことによって、コンピュータを請求項１、または、請求項２に記載の巻取接合指示システムに使用されるコンピュータプログラム。
【請求項５】
請求項４に記載のコンピュータプログラムを記録したコンピュータ読取り可能な記録媒体。
【発明の詳細な説明】
【技術分野】
【０００１】
本発明は、巻取状の包装材料の製造において、所定の長さの巻取を製造するための製造指示システム、および、その方法に関するものである。
【背景技術】
【０００２】
従来から、巻取状の包装材料の製造において、巻取の途中に存在する不良箇所を検査工程で発見して、除去する作業が行われている。その結果、納入製品を製造するためには、最終工程で、複数の巻取を組み合わせて、所定の長さの巻取を製造している。
【０００３】
たとえば、特許文献１では、2本の巻取状の包装フィルムを溶接する技術が開示されている。（従来技術１）
【特許文献１】特許１４５３４８５号公報（１−３頁、図１−７）
【発明の開示】
【発明が解決しようとする課題】
【０００４】
ところで、従来技術１では、1つの巻取製品の接合部が多数に存在すると、利用者の利便性を妨げることになるので、接合部の数に限度を設けて、生産者は、所定の接合数に収まるように、巻取の長さの組合せを計算で確認しながら、試行錯誤して決めていおり、組合せを求める効率が良くない。
【０００５】
本発明は、このような従来技術を考慮してなされたものであって、本発明の課題は、所定の長さの巻取を製造するにあたって、複数の巻取製品の最適な組み合わせを指示するシステム、および、その方法を提供することである。
【課題を解決するための手段】
【０００６】
本発明は、以下のような解決手段により、前記課題を解決する。すなわち、請求項１に記載の発明は、巻取製造指示装置と巻取データ登録装置がネットワークで接続されて構成される巻取接合指示システムにおいて、前記巻取製造指示装置は、巻取り識別情報と巻取り長さの値を含む巻取データを記録する巻取り管理ファイルを記憶する記憶手段と、所定の長さの値と最大接合本数の値を含んだ巻取接合条件を受け付ける巻取接合条件受付手段と、巻取データの巻取り長さをキーにして、前記巻取り管理ファイルの巻取データを昇順に配列する巻取データ昇順手段と、前記昇順に配列された巻取り管理ファイルを参照して、所定の配列位置にある巻取データを取得して、これを保持する巻取データ取得手段と、前記保持されている巻取データの巻取り長さの値をそれぞれ取得して加算して、接合の長さを算出する接合長さ算出手段と、前記巻取り管理ファイルの先頭の巻取データを削除する巻取データ削除手段と、前記保持されている巻取データの巻取り識別情報を含んだ接合指示を作成する接合指示手段と、巻取データを受信して、巻取り管理ファイルに登録する巻取データ登録手段と、を備える指示装置であって、巻取データ登録装置は、巻取データを作成して、送信する巻取データ送信手段を備える登録装置を備える登録装置であって、巻取り管理ファイルから順次取得した巻取データの巻取り長さの値を用いて算出した接合の長さを用いて、接合指示を作成することを特徴とする巻取接合指示システムである。
【０００７】
従って、巻取の長さの値で昇順配列した巻取り管理ファイルから、巻取データを順次取得して接合の長さを求めることで、所定の長さに達するための正確な巻取データの組合せを求めることができる。
【０００８】
請求項２に記載の発明は、巻取り識別情報と巻取り長さの値を含む巻取データを記録する巻取り管理ファイルを記憶する記憶手段と、巻取データを作成して、巻取り管理ファイルに登録する巻取データ登録手段と、所定の長さの値と最大接合本数の値を含んだ巻取接合条件を受け付ける巻取接合条件受付手段と、巻取データの巻取り長さをキーにして、前記巻取り管理ファイルの巻取データを昇順に配列する巻取データ昇順手段と、前記昇順に配列された巻取り管理ファイルを参照して、所定の配列位置にある巻取データを取得して、これを保持する巻取データ取得手段と、前記保持されている巻取データの巻取り長さの値をそれぞれ取得して加算して、接合の長さを算出する接合長さ算出手段と、前記巻取り管理ファイルの先頭の巻取データを削除する巻取データ削除手段と、前記保持されている巻取データの巻取り識別情報を含んだ接合指示を作成する接合指示手段と、を備えることを特徴とする巻取接合指示装置である。
【０００９】
請求項３に記載の発明は、巻取り識別情報と巻取り長さの値を含む巻取データを記録する巻取り管理ファイルを使用する巻取接合指示方法であって、巻取データを作成して、巻取り管理ファイルに登録する巻取データ登録ステップと、所定の長さの値と最大接合本数の値を含んだ巻取接合条件を受け付ける巻取接合条件受付ステップと、巻取データの巻取り長さをキーにして、前記巻取り管理ファイルの巻取データを昇順に配列する巻取データ昇順ステップと、前記昇順に配列された巻取り管理ファイルを参照して、所定の配列位置にある巻取データを取得して、これを保持する巻取データ取得ステップと、前記保持されている巻取データの巻取り長さの値をそれぞれ取得して加算して、接合の長さを算出する接合長さ算出ステップと、前記巻取り管理ファイルの先頭の巻取データを削除する巻取データ削除ステップと、前記保持されている巻取データの巻取り識別情報を含んだ接合指示を作成する接合指示ステップと、を含んだ手順でなされることを特徴とする巻取接合指示方法である。
【００１０】
請求項４に記載の発明は、コンピュータに組込むことによって、コンピュータを請求項１、または、請求項２に記載の巻取接合指示システムに使用されるコンピュータプログラム
である。
【００１１】
請求項５に記載の発明は、請求項４に記載のコンピュータプログラムを記録したコンピュータ読取り可能な記録媒体
である。
【発明の効果】
【００１２】
本願発明によれば、巻取製品の製造において、複数の巻取製品の最適な組み合わせを容易に求めることが可能となる。
【発明を実施するための最良の形態】
【００１３】
以下、図面等を参照しながら、本発明の実施の形態について、更に詳しく説明する。図１は、本発明による巻取接合指示システムの全体構成を説明する図である。印刷工程では、印刷機７００が、巻取５００を印刷する（図1（ア））。検査工程では、印刷された巻取５００を検査して、巻取５００から不良箇所を除去することで、分割された巻取５１０が生成される（同（（カ））。巻取データ登録装置３００は、分割された巻取５１０の長さの値を含む巻取データ１９１を登録する（同（（キ））。分割された巻取５１０を接合して、所定の長さの巻取５５０を作るために、製品加工工程巻取接合指示装置１００は、登録された巻取データ１９１を用いて、最適な分割された巻取５１０の接合方法を、算出する（同（（サ））。
【００１４】
図２は、複数の分割された巻取５１０を接合して、所定の長さの巻取５５０を作成するための大まかな処理の流れの説明図である。この処理は、図１の（サ）の詳細である。巻取り長が短い順に並べられた分割された巻取５１０のそれぞれの巻取り長は、「Ｌ1、Ｌ2 、・・、ＬC、・・、Ｌｎ、・・」とする。すると、1本目からｃ本目までの分割された巻取５１０を接合した時の巻取りの長さΣＬは、「ΣＬ＝Ｌ1＋Ｌ2 ＋・・ ＋ＬC 」である。ΣＬが、所定の長さに達していれば、これらの分割された巻取５１０にて、規定の長さの巻取５５０を作成する。
【００１５】
接合した巻取りの長さΣＬが、所定の長さに達していなければ、さらに、所定の本数（Ｎ本）にいたるまで、分割された巻取５１０を１本ずつ追加して、接合した長さを算出する（図２（ア））。ここで、1本目からＮ本目まで、所定の本数の巻取５１０を接合した長さΣＬは、「ΣＬ＝Ｌ1＋Ｌ2 ＋・・ ＋ＬN-1＋ＬNである。
【００１６】
所定の長さに達しないときには、Ｎ本目の分割された巻取５１０を（Ｎ＋１）本目の分割された巻取５１０と交換して、1本目から（Ｎ−１）本目までと（Ｎ＋１）本目の分割された巻取５１０を接合した時の巻取りの長さが、所定の長さに達するか調べる。ちなみに、このときの接合した巻取りの長さΣＬは、「ΣＬ＝Ｌ1＋Ｌ2 ＋・・ ＋ＬN-1 ＋ＬN+1」である。（同（（イ））。
【００１７】
これでも、所定の長さに達しないときには、（Ｎ＋１）本目の分割された巻取５１０を（Ｎ＋２）本目の分割された巻取５１０と交換して、同様に調べる。ちなみに、このときの接合した巻取りの長さΣＬは、「ΣＬ＝Ｌ1＋Ｌ2-n ＋・・ ＋Ｌn-1 ＋ＬN+2」である。これを、所定の長さに達するまで、繰り返す（同（（ウ））。
【００１８】
最終の分割された巻取５１０に交換しても、所定の長さに達しなければ、一番短い巻取５１０（長さＬ1）を除去して、最初に戻って、処理を繰り返す（同（（エ））。
【００１９】
図３は、本発明による巻取接合指示システムの詳細な構成図である。巻取接合指示システム１は、巻取製造指示装置１００と巻取データ登録装置３００がネットワークで接続されて構成される。巻取製造指示装置１００は、巻取データ昇順手段１１０と、接合長さ算出手段１２０と、巻取接合条件受付手段１４０と、巻取データ取得手段１５０と、巻取データ削除手段１６０と、接合指示手段１７０と、巻取データ登録手段１８０と、記憶手段１９０とを備える。記憶手段１９０は、巻取り管理ファイル１９２を記憶する。
【００２０】
巻取り管理ファイル１９２は、巻取り識別情報と長さの値を含む巻取データ１９１（詳細は後述する。）を記録する。
【００２１】
巻取データ昇順手段１１０は、巻取データの巻取り長さをキーにして、巻取り管理ファイル１９２の巻取データ１９１を昇順に並べる。接合長さ算出手段１２０は、保持されている少なくとも１つの巻取データ１９１の長さの値をそれぞれ取得して加算して、接合の長さを算出する。巻取接合条件受付手段１４０は、所定の長さの値と最大接合本数の値を含んだ巻取接合条件を受け付ける。巻取データ取得手段１５０は、巻取製造指示装置１００が備えるプログラムカウンタに、「１」を加算して、巻取り管理ファイル１９２を参照して、プログラムカウンタが示す位置にある巻取データ１９１を取得して、これを保持する。巻取データ削除手段１６０は、巻取り管理ファイル１９２の先頭の巻取データ１９１を削除する。接合指示手段１７０は、巻取データ１９１の巻取り識別情報を含んだ接合指示を作成する。巻取データ登録手段１８０は、巻取データ１９１を受信して、巻取り管理ファイル１９２に登録する。
【００２２】
記憶手段１９０は、巻取製造指示装置１００に内蔵されるメモリ領域である。巻取データ昇順手段１１０と、接合長さ算出手段１２０と、巻取接合条件受付手段１４０と、巻取データ取得手段１５０と、巻取データ削除手段１６０と、接合指示手段１７０と、巻取データ登録手段１８０とは、巻取製造指示装置１００に内蔵されるメモリ領域に記憶されるコンピュータプログラムである。巻取り管理ファイル１９２、および、巻取データ１９１は、コンピュータプログラム可読なデータである。
【００２３】
巻取データ登録装置３００は、巻取データ送信手段３１０を備える。
【００２４】
巻取データ書手段３１０は、巻取データ１９１を作成して、送信する。
【００２５】
巻取データ登録手段３１０とは、巻取データ登録装置３００に内蔵されるメモリ領域に記憶されるコンピュータプログラムである。
【００２６】
なお、巻取データの登録と巻取製造指示とを同じ場所で行う場合には、巻取製造指示装置１００の手段に、巻取データ登録装置３００の手段を加えた巻取製造指示装置でも、同様の効果が得られる。
【００２７】
図４は、巻取データの形式の説明図である。巻取データ１９１の項目は、長さ１９１ａ、製品名１９１ｂ、生産ロット番号１９１ｃ、巻取り識別情報１９１ｄなどから構成される。長さ１９１ａは、巻取の長さの値を記録する。巻取り識別情報１９１ｄは、ユニークな文字列で、たとえば、巻取り番号である。
【００２８】
図５は、本発明による方法のフローチャートである。
（１）巻取接合条件受付手段１４０は、所定の長さ「Ｌ」と最大接合本数「Ｎ」の入力を受け付ける。（ステップＳ１１０）
（２）巻取データ昇順手段１１０は、巻取データの巻取り長さをキーにして、巻取り管理ファイル１９２の巻取データ１９１を昇順にＳＯＲＴする。（ステップＳ１１２）
（３）巻取データ取得手段１５０は、巻取製造指示装置１００が備えるプログラムカウンタ「Ｃ」に、「１」を加算する。（ステップＳ１１４）
（４）カウンタ「Ｃ」の値が、最大接合本数「Ｎ」を超えていなければ、次のステップに進む。超えていれば、ステップ（９）に進む。（ステップＳ１２０）
（５）巻取データ取得手段１５０は、巻取り管理ファイル１９２を参照して、カウンタ「Ｃ」の値が示す位置（先頭からＣ番目）にある巻取データ１９１を取得して、これを保持する。（ステップＳ１３０）
（６）接合長さ算出手段１２０は、保持されている１番目からＣ番目の巻取データ１９１の長さの値１９１ａをそれぞれ取得して加算して、接合の長さを算出する。（ステップＳ１３２）
（７）接合の長さが所定の長さ「Ｌ」に達していれば、次のステップに進む。達していなければ、ステップ（３）に戻る。（ステップＳ１４０）
（８）接合指示手段１７０は、１番目からＣ番目の巻取データ１９１の巻取り番号１９１ｄを含んだ接合指示を作成して、終了する。（ステップＳ１４２）
（９）巻取り管理ファイル１９２にＣ番目の巻取データが存在すれば、次のステップに進む。存在しなければ、ステップ（１５）に進む。（ステップＳ１５０）
（１０）巻取データ取得手段１５０は、巻取り管理ファイル１９２を参照して、Ｃ番目の巻取データを取得して、これを保持する。（ステップＳ１５２）
（１１）接合長さ算出手段１２０は、保持されている１番目からＮ−１番目とＣ番目の巻取データの長さを加算して、接合の長さを算出する。（ステップＳ１５４）
（１２）接合の長さが所定の長さ「Ｌ」に達していれば、次のステップに進む。達していなければ、ステップ（１４）に進む。（ステップＳ１６０）
（１３）接合指示手段１７０は、１番目からＮ−１番目とＣ番目の巻取データ１９１の巻取り番号１９１ｄを含んだ接合指示を作成して、終了する。（ステップＳ１６２）
（１４）巻取データ取得手段１５０は、カウンタ「Ｃ」に、「１」を加算する。ステップ（１０）に戻る。（ステップＳ１６４）
（１５）巻取データ削除手段１６０は、巻取り管理ファイル１９２の先頭の巻取データ１９１を削除する。カウンタ「Ｃ」をゼロにして、ステップ(３)に戻る。（ステップＳ１７０）
【００２９】
このように、長さの値が小さい（長さが短い）巻取りから順次に選んで、接合することで、短い巻取りを確実に消化することができる。一方、本発明を利用しなで接合する場合には、簡便に、長い巻取り同士の接合を選び勝ちになり、接合の結果、端数として余った短い巻取りが多数残されることになるので、好ましくない。
【００３０】
なお、最小本数の巻取にて、接合する場合には、２本の組合せから開始して、所定の長さになるまで、接合の組合せを変えればよい。このとき、最長の２本の接合でも所定の長さに達しなければ、３本に増やして同様の処理を繰り返えして、所定の長さになるまで、本数を増やせばよい。
【００３１】
以上詳しく説明したように、本願発明によれば、巻取を最適に組合せることによって、所定の巻取製品を製造することが可能となり、生産効率が改善された。また、所定の長さに満たない巻取を有効に活用することにより、材料の無駄を省き、省資源に貢献して、産業廃棄物を減らして、環境汚染を防止した。
【図面の簡単な説明】
【００３２】
【図１】本発明による巻取接合指示システムの全体構成図
【図２】複数の分割された巻取を接合して、規定の長さの巻取を作成するための大まかな手順
【図３】本発明によるり巻取接合指示システムの構成図
【図４】本発明による巻取データの形式
【図５】本発明による有責失点生産管理システムのフローチャート
【符号の説明】
【００３３】
１  巻取接合指示システム
１００  巻取製造指示装置
１１０  巻取データ昇順手段
１２０  接合長さ算出手段
１４０  巻取接合条件受付手段
１５０  巻取データ取得手段
１６０  巻取データ削除手段
１７０  接合指示手段
１８０  巻取データ登録手段
１９０  記憶手段
１９１  巻取データ
１９１ａ  巻取り長さ
１９１ｂ  製品名
１９１ｃ  生産ロット番号
１９１ｄ  巻取り識別情報
１９２  巻取り管理ファイル
３００  巻取データ登録装置
３１０  巻取データ送信手段
５００  巻取
５１０  分割された巻取
５５０  所定の長さの巻取
７００  印刷機
【図１】
2007062976.tif 000003
【図２】
2007062976.tif 000004
【図３】
2007062976.tif 000005
【図４】
2007062976.tif 000006
【図５】
2007062976.tif 000007